(57)【要約】【課題】  外部電源が不要であって、保守の必要が少なく、設置場所の制限が少ない発光標識装置を提供する【解決手段】  本発明発光標識装置１ａは、標識本体２１を具備する標識体２と、該標識体２に設けられる振動部３と、該振動部３に設けられる振動発電部４と、該振動発電部４に接続される発光部５と、を備えることを特徴とする。本発光標識装置１ａは、吹き付けられた風によって振動部３と、振動部３に設けられた振動発電部４とが弾性変形して振動発電部４が発電し、その電力で発光部５が発光する。この発光部５の光によって標識に対する注意を喚起することができる。【選択図】  図１
2005352298.tif 000002
【特許請求の範囲】
【請求項１】
標識本体２１を具備する標識体２と、該標識体２に設けられる振動部３と、該振動部３に設けられる振動発電部４と、該振動発電部４に接続される発光部５と、を備えることを特徴とする発光標識装置。
【請求項２】
上記振動発電部４及び発光部５に蓄電部が設けられた請求項１記載の発光標識装置。
【請求項３】
上記振動発電部４は圧電素子からなり、上記発光部５は発光ダイオードからなる請求項１又は２記載の発光標識装置。
【請求項４】
上記振動部３は、風によって振動する羽根である請求項１乃至３のいずれか一項に記載の発光標識装置。
【請求項５】
上記振動部３は、波による水位の上下移動によって振動する羽根である請求項１乃至３のいずれか一項に記載の発光標識装置。
【発明の詳細な説明】
【技術分野】
【０００１】
本発明は、自ら発光する発光標識装置に関する。更に詳しく言えば、外部電源が不要であって、保守の必要が少なく、設置場所の制限が少ない発光標識装置に関する。本発光標識装置は、中央分離帯及び路肩等に設置される道路標識等の交通標識、川や海に浮かべて用いる浮標（ブイ）、広告用看板等、任意の形態の標識に用いることができる。
【背景技術】
【０００２】
発光ダイオード等の発光素子を設けて自発光によって注意を報知する交通標識等があるが、この発光には、電気が必要である。このため太陽電池や風車等を用いて発電し、バッテリ等に蓄電した電気や、商用電源を用いることが多い（例えば、特許文献１〜３を参照。）。
また、リフレクタを設けて自動車のヘッドライト等の光を反射及び拡散させて報知する交通標識等があるが、標識に向かって光が当たる場合のみしか効果がなく、持続的な報知には適さなかった。
【０００３】
【特許文献１】特開平６−３１４３９８号公報
【特許文献２】特開平７−１７５９７６号公報
【特許文献３】特開２０００−２１２９２０号公報
【発明の開示】
【発明が解決しようとする課題】
【０００４】
しかし、太陽電池を用いた発光標識装置は、一定以上の太陽光が照射される必要があり、日陰やトンネル内では利用することができない。また、風車を用いた発光標識装置は、強風時に風車が高速回転して発電機が損傷しないように保護機構を設ける必要があり、更に回転軸があるため軸の摩耗による劣化がある。
更に、山間部や海上等では、市街地等に比べると保守を頻繁に行うことが困難であり、保守の必要が少ない発光標識装置が望まれていた。
本発明は、このような問題点を解決するものであり、外部電源が不要であって、保守の必要が少なく、設置場所の制限が少ない発光標識装置を提供することを目的とする。
【課題を解決するための手段】
【０００５】
本発明の発光標識装置は、以下の通りである。
１．標識本体２１を具備する標識体２と、該標識体２に設けられる振動部３と、該振動部３に設けられる振動発電部４と、該振動発電部４に接続される発光部５と、を備えることを特徴とする発光標識装置。
２．上記振動発電部４及び発光部５に蓄電部が設けられた上記１．記載の発光標識装置。
３．上記振動発電部４は圧電素子からなり、上記発光部５は発光ダイオードからなる上記１．又は上記２．記載の発光標識装置。
４．上記振動部３は、風によって振動する羽根である上記１．乃至上記３．のいずれか一項に記載の発光標識装置。
５．上記振動部３は、波による水位の上下移動によって振動する羽根である上記１．乃至上記３．のいずれか一項に記載の発光標識装置。
【発明の効果】
【０００６】
本発明の発光標識装置によれば、自然風や自動車等の往来に伴う風や、波の力によって振動発電部を振動させて発電し、発光することができるため、特に夜間における標識に対する注意を喚起することができる。また、外部電源が不要である。更に、山間部等、日照時間が少ない場所であっても使用することができるため、設置場所の制限が少ない。また、摩耗する部品が不要であるため、保守が容易である。
また、蓄電部を備える場合は、振動発電部４によって発電された電力を蓄え、発電されていない時でも発光することができる。
更に、圧電素子と発光ダイオードを用いる場合は、簡便で扱いやすいものとすることができる。
また、振動部３を風によって振動する羽根とする場合は、自動車等の通過風や自然風等の風の力によって振動発電部を振動させて発電することができ、発光することができる。
更に、振動部３を波による水位の上下移動によって振動する羽根とする場合は、波の力によって振動発電部を振動させて発電することができ、発光することができる。
【発明を実施するための最良の形態】
【０００７】
以下、図１〜図５を用いて本発明である発光標識装置の実施の形態を説明する。
上記「標識本体２１」は、標識及び看板に用いられるものであればよく、その形状は特に問わない。また、反射板、蛍光塗料及び蓄光塗料等の光に関する機能を備えた部材を設けることができる。
上記「振動部３」は、振動部３自身が外部から与えられる力によって振動することができれば良く、その振動方法を任意に選択することができる。例えば、振動部１１に風を当てることによって弾性変形させて振動することができる。また、水面に浮かべ（例えば図５を参照。）、又は水中に設けて、波による水位の上下移動によって振動することができる。
振動部３の形状は、風や波面等によって弾性変形することができる形状であれば良く、通常、板状の羽根を選択することができる。また、網状等、通気性を持たせてもかまわない。
上記「振動発電部４」は、振動部３の振動によって発電することができるものであればよく、任意に選択することができる。この例として、圧電素子、並びに磁石及びコイルの組合せ等を挙げることができる。
上記「発光部５」は、振動発電部４によって発電された電力によって発光することができる発光素子であれば良く、任意に選択することができる。この例として、発光ダイオードや電球等を挙げることができる。また、発光部５は、任意の場所に設けることができ、標識体（標識本体２１〔例えば図１を参照〕や支持部２２を例示できる）及び振動部３に設けることを例示することができる。更に、標識体及び振動部３の両方に設けることもできる。
【０００８】
また、本発光標識装置は振動発電部４以外の電源を備え、発光部５を発光させることができる。例えば、本発光標識装置は「蓄電部」を設けることができる。蓄電部は、振動発電部４によって発電した電力を充電し、且つ、蓄えた電力を放電して発光部５に供給することができるものであれば特に限定されず、任意に選択することができる。この例として、振動発電部４からの電流を整流し、コンデンサや充電池等に充電する回路（例えば図３を参照）を挙げることができる。
更に、本発光標識装置は、太陽電池を設けることができる。特に、蓄電部及び太陽電池の両方を設けた場合は、振動発電部４及び太陽電池によって発電された電力を蓄電部に蓄電することで、発電できない時でも長時間にわたって発光部５による発光を行うことができる。
また、本発光標識装置は振動部３に「反射部」を設けることができる。この反射部は、自動車のヘッドライト等によって標識体等に照射される光を周囲に反射させることができればよく、通常用いられる散乱剤又は散乱構造を備えるシート及びプレート等の他、鏡や金属板等を例示することができる。
更に、本発光標識装置は、発光部５による発光に限らずブザーや演奏回路等を振動発電部４によって駆動し、喚起音を発することができる。
【０００９】
本発光標識装置は、標識として用いることができればよく、その用途を特に問わない。この例として、中央分離帯及び路肩等に設置される道路標識等の交通標識、川や海に浮かべて用いる浮標（ブイ）、広告用看板等を挙げることができる。
交通標識として発光標識装置を用いる場合、道路の路肩、中央分離帯及び上方等に設置して使用される発光標識装置（例えば図１を参照）を挙げることができる。このような標識体は、標識本体の標識部分（例えば図１を参照）や周囲（例えば図４を参照）に発光部５を設け、標識本体等に振動部を設けて使用される。このような交通標識に用いる発光標識装置は、自然風や自動車の通過風によって発光するため、標識の視認効果を高め、保守の必要が少なく、設置場所の制限が少ないため、山間部等、保守が困難であっても利用することができる。
更に、図４に例示するような反射板の標識を備え、その周囲に振動部及び発光部を具備した発光標識装置を、路肩に１本又は複数本設置して路肩標識として用いることができる。このような発光標識装置は、自然風や自動車の通過風によって発光するため、標識の視認効果を高め、保守の必要が少なく、設置場所の制限が少ないため、山間部等、保守が困難であっても利用することができる。
また、図５に例示するような水上で使用される発光標識装置を、川や海等の任意の水面に浮かべて浮標として用いることができる。このような発光標識装置は、波や風を受けとめる羽根状の振動部を備え、発光することができる。このような発光標識装置は、標識の視認効果を高め、保守の必要が少なく、外部電源が不要であるため、長期に渡って利用することができる。
【実施例１】
【００１０】
本実施例１の発光標識装置は、風によって振動部、及び振動部に設けられた振動発電部を振動させて発電し、発光部によって発光する発光標識装置である。本発光標識装置は、路肩に設置されて交通標識として使用される。
本実施例１の発光標識装置１ａは、図１に示すように、標識体２ａ、振動部３、振動発電部４及び発光部５を備える。また、標識体２ａは、標識本体２１ａ及び支持部２２を備える。標識本体２１ａは、金属円盤であり制限速度等の標識の内容が表記されている。また、支持部２２は標識本体２１ａを支持するための支柱であり、上端に標識本体２１ａが設けられ、下端を埋設したり、ガードレール等に固定したりして使用される。
振動部３は、硬質で弾性に富んだプラスチック（ポリエチレン、ポリプロピレン、ＡＢＳ等）や金属（スチール等）等で構成された、四角形状の板状体の羽根である。また、振動部３は、標識本体２１ａの周縁を取り囲むように配設されている。更に、振動部３は、それぞれ振動発電部４を備える。
振動発電部４は圧電素子であり、振動部３が振動することによって圧電素子が共に変形するように振動部３に固定され、発光部５の発光に必要な電力を発電する。また、発光部５は標識本体２１ａの標識が表記された面が光るように配設された発光ダイオードであり、図２の回路図に示すように、振動発電部４によって発電した電力で発光するように、振動発電部４に接続されている。
【００１１】
本発光標識装置１ａは、吹き付けられた風によって振動部３と、振動部３に設けられた振動発電部４とが弾性変形して振動発電部４が発電し、その電力で発光部５が発光する。この発光部５の光によって標識に対する注意を喚起することができる。
また、発光標識装置１ａに吹き付けられる風は、自然風の他、発光標識装置１ａの付近を通過する自動車によって引き起こされる通過風がある。このため、本発光標識装置１ａは、自然風が無い場合でも先頭の自動車の通過風によって発電し、後続の自動車に対して発光をし、標識に対する注意を喚起することができる。
【実施例２】
【００１２】
本実施例２の発光標識装置は、発光部を振動部上に設け、蓄電部を備えて無風時でも発光することができる発光標識装置である。本発光標識装置は、路肩に設置されて交通標識として使用される。
本実施例２の発光標識装置１ｂは、図４に示すように、標識体２ｂ、振動部３、振動発電部４、発光部５及び蓄電部（図示せず）を備える。また、標識体２ｂは、標識本体２１ｂ及び支持部２２を備える。標識本体２１ｂは、自動車等のヘッドライトの光を反射して運転手に注意を喚起させるための反射板である。また、支持部２２は標識本体２１ｂを支持するための支柱であり、上端に標識本体２１ａが設けられ、下端を埋設したり、ガードレール等に固定したりして使用される。
振動部３は、実施例１と同様の材質で作製された四角形状の板状体の羽根である。また、振動部３は、標識本体２１ｂの周縁を取り囲むように配設されている。更に、振動部３は、それぞれ振動発電部４及び発光部５を備える。
振動発電部４は圧電素子であり、振動部３が振動することによって圧電素子が共に変形するように振動部３に固定され、発光部５の発光に必要な電力を発電する。また、発光部５は発光ダイオードであり、図３の回路図に示すように、振動発電部４によって発電した電力、及び蓄電部に蓄積された電力で発光するように、振動発電部４に接続されている。
蓄電部は、圧電素子である振動発電部４によって発電された電流を整流するダイオードと、大容量コンデンサ（例えば、電気二重層コンデンサ等を挙げることができる）とを組み合わせたものである。
【００１３】
本発光標識装置１ｂは、吹き付けられた風によって振動部３と、振動部３に設けられた振動発電部４とが弾性変形して振動発電部４が発電し、その電力で発光部５が発光する。この発光部５の光によって標識に対する注意を喚起することができる。また、発光部５は、振動部３と共に振動するため、風が振動部３に吹き付けられている間は発光する位置が変化し、標識に対する注意をより喚起することができる。更に、振動発電部４によって発電された電力は蓄電部に蓄電されるため、無風であっても蓄電部に蓄電された電力で発光することができる。
また、発光標識装置１ｂは、発光標識装置１ａと同様に、自然風及び通過風等の風によって発光することができる。
【実施例３】
【００１４】
本実施例３の発光標識装置は、水面に浮かべられた振動部を用い、波の力で発光することができる発光標識装置である。本発光標識装置は、水上に浮かべて水上標識として使用される。
本実施例３の発光標識装置１ｃは、図５に示すように、標識体２ｃ、振動部３、振動発電部４及び発光部５を備える。標識体２ｃは、標識本体２１ｃ、支持部２２及び浮体２３を備える。標識本体２１ｃは、注意を喚起させるための着色された球体である。また、支持部２２は標識本体２１ｃを支持するための支柱であり、下端が浮体２３に固定されている。浮体２３は内部が空洞になっており、発光標識装置１ｃを水面に浮かべることができる。
振動部３は、内部が空洞及び多孔質等とした樹脂製の平板状の羽根であり、一端を浮体２３に固定されている。このため、他端が水面に合わせて、浮体２３に対して上下に振動することができる。更に、振動部３は、それぞれ振動発電部４を上記一端側に設けており、上記他端の上下運動によって振動発電部４が弾性変形するようになっている。
振動発電部４は圧電素子であり、弾性変形によって、発光部５の発光に必要な電力を発電する。また、発光部５は標識本体２１ｃが光るように配設された発光ダイオードであり、図２の回路図に示すように、振動発電部４によって発電した電力で発光するように、振動発電部４に接続されている。
【００１５】
本発光標識装置１ｃは、波による水面の上下運動によって振動部３と、振動部３に設けられた振動発電部４とが弾性変形して振動発電部４が発電し、その電力で発光部５が発光する。この発光部５の光によって標識に対する注意を喚起することができる。
【００１６】
尚、本発明においては、上記実施例に限られず、目的、用途に応じて本発明の範囲内で種々変更した実施例とすることができる。即ち、振動発電部４は各実施例に示した圧電素子に限らず、コイル及び磁心を組み合わせて発電することができる。また、発光部５を設ける位置は任意に選択することができ、実施例１において振動部３に発光部５を設けて良いし、実施例２において標識本体２１ｂに発光部５を設けても良い。更に、実施例３において、水面に設ける振動部３に限らず、実施例１及び２に示す風によって振動する振動部３を併設することができる。また、水面に浮かべて使用することに限られず、浮体２３を用いずに海底や岸等に固定して使用することもできる。
【産業上の利用可能性】
【００１７】
本発光標識装置は、中央分離帯及び路肩等に設置される道路標識等の交通標識、川や海に浮かべて用いる浮標（ブイ）、広告用看板等、任意の形態の標識に用いることができる。
【図面の簡単な説明】
【００１８】
【図１】実施例１の発光標識装置を説明するための模式図である。
【図２】本発光標識装置の電気回路例である。
【図３】蓄電部を備える本発光標識装置の電気回路例である。
【図４】実施例２の発光標識装置を説明するための模式図である。
【図５】実施例３の発光標識装置を説明するための模式図である。
【符号の説明】
【００１９】
１ａ、１ｂ、１ｃ；発光標識装置、２ａ、２ｂ、２ｃ；標識体、２１ａ、２１ｂ、２１ｃ；標識本体、２２；支持部、２３；浮体、３；振動部、４；振動発電部、５；発光部。
【図１】
2005352298.tif 000003
【図２】
2005352298.tif 000004
【図３】
2005352298.tif 000005
【図４】
2005352298.tif 000006
【図５】
2005352298.tif 000007